(57)【要約】【課題】奥行寸法を小さくする薄型化を実現するとともに、ドラフト感についての個人差による不快感を緩和することのできる空気調和機を提供すること。【解決手段】本発明に係る空気調和機は、本体ケーシング２０内を横方向に複数の区域に区分し、区域毎に室内ユニット２を構成する室内側熱交換器２７、電動膨張弁２８、遠心ファン２２等の機器を配置し、各区域ごとに運転の発停、制御を可能に構成している。また、各区域の横方向両端部には室内吹出口３２が形成され、室内吹出口３２毎に吹出空気の風向及び吹出空気の温度を可変に操作することができるように構成されている。また、遠心ファン２２は、羽根車２３の回転軸を前後方向とするとともに、前側から吸入した室内空気を左右の室内吹出口３２に対して吹き出すように配置されている。また室内側熱交換器２７はこのような空気流れの中に設置されている。【選択図】図１
2007263429.tif 000002
【特許請求の範囲】
【請求項１】
横長に形成されるとともに、内部を横方向に複数区域に区画された本体ケーシングと、本体ケーシングの前面を覆うように設置されるとともに、各区域の横方向の中央部に対応する位置に室内吸込口を有し、さらに、各区域の横方向両端部に対応する位置に室内吹出口を有する前面パネルと、本体ケーシング内の各区域の横方向中央部において、羽根車の回転軸を前後方向とするとともに吸入口を前面パネル側とし、さらに、羽根車の半径方向、かつ羽根車の左右方向に吐出口が形成されるように配置された遠心ファンと、遠心ファンの吐出口から室内吹出口に連通する通風路と、各通風路に配置された室内側熱交換器とを備え、
各遠心ファンは、個別に発停操作及び風量可変に操作し得るように構成されていることを特徴とする空気調和機。
【請求項２】
横長に形成されるとともに、内部を横方向に複数区域に区画された本体ケーシングと、本体ケーシングの前面を覆うように設置されるとともに、各区域の横方向の中央部に対応する位置に室内吸込口を有し、さらに、各区域の横方向両端部に対応する位置に室内吹出口を有する前面パネルと、本体ケーシング内の各区域の横方向中央部において、羽根車の回転軸を前後方向とするとともに吸入口を前面パネル側とし、さらに、羽根車の半径方向、かつ羽根車の左右方向に吐出口が形成されるように配置された遠心ファンと、遠心ファンの吐出口から室内吹出口に連通する通風路と、各通風路に配置された室内側熱交換器とを備え、
各室内吹出口は、個別に風向を変更操作し得る電動式の風向羽根を有することを特徴とする空気調和機。
【請求項３】
横長に形成されるとともに、内部を横方向に複数区域に区画された本体ケーシングと、本体ケーシングの前面を覆うように設置されるとともに、各区域の横方向の中央部に対応する位置に室内吸込口を有し、さらに、各区域の横方向両端部に対応する位置に室内吹出口を有する前面パネルと、本体ケーシング内の各区域の横方向中央部において、羽根車の回転軸を前後方向とするとともに吸入口を前面パネル側とし、さらに、羽根車の半径方向、かつ羽根車の左右方向に吐出口が形成されるように配置された遠心ファンと、遠心ファンの吐出口から室内吹出口に連通する通風路と、各通風路に配置された室内側熱交換器とを備え、
各室内側熱交換器は、個別に開閉及び設定開度を変更操作し得る冷媒制御用の電動膨張弁を有することを特徴とする空気調和機。
【請求項４】
各遠心ファンは、個別に発停操作及び風量可変に操作し得るように構成されていることを特徴とする請求項２又は３記載の空気調和機。
【請求項５】
各室内吹出口は、個別に風向を変更操作し得る電動式の風向羽根を備えていることを特徴とする請求項１又は３記載の空気調和機。
【請求項６】
各室内側熱交換器は、個別に開閉操作及び設定開度を変更操作し得る冷媒制御用の電動膨張弁を有することを特徴とする請求項１又は２記載の空気調和機。
【発明の詳細な説明】
【技術分野】
【０００１】
本発明は、空気調和機に関し、特に、機内を横方向に複数区域に区画し、それぞれの区域に遠心ファン、室内側熱交換器、室内吹出口、室内吸込口等を備えた空気調和機に関する。
【背景技術】
【０００２】
室内に設置する空気調和機に関し、従来、設置スペースを少なくしたいとの要望、あるいは壁面からの出っ張りを少なくして居住空間への圧迫感をなくしたいなどの要望がある。このような要望に応えるものとして、特許文献１に、本体ケーシングを横長とした薄型の空気調和機が提案されている。この特許文献１に記載の空気調和機は、本体ケーシング内を複数区域に区分し、各区域の中央部に回転軸が奥行き方向となるように遠心ファンが配置されている。また、遠心ファンは、羽根車の半径方向かつ左右方向に吐出空気を吐出するように構成されている。そして、吐出口から室内への吹出口に至る吐出空気の通風路（特許文献１では空気吹出流路）には、室内側熱交換器が配置されている。
【特許文献１】特開２００６−２９７０２号公報（第５−９頁、図１−図３）
【発明の開示】
【発明が解決しようとする課題】
【０００３】
また、室内に設置する空気調和機に関し、長年にわたる未解決の要望として、空気調和機からの吹出空気による不快なドラフト感を解消して欲しいとの要望がある。ドラフト感は、一般に、個人差が大きく、特に男女間では相当開きがあると考えられている。また、ドラフト感は、同一人にとっても活動状況や体調により大きく変わる要素も持っている。例えば寝室において、就寝しようして床についている人と、起きてテレビを見ている人とでは、同じ室内に長くいる状況であってもドラフト感が大きく異なる。しかしながら、従来の空気調和機は、空調室内に複数の居住者が在室する場合、人によりドラフト感が異なるにも拘らず画一的な吹出空気の制御しかできなかった。このためドラフト感の個人差に対応することができず、居住者には不快感を与えていた。
【０００４】
本発明は、従来技術に存在するこのような問題点に着目してなされたものであって、薄型化を実現するとともに、ドラフト感の個人差による不快感を緩和することのできる空気調和機を提供することを目的とする。
【課題を解決するための手段】
【０００５】
上記課題を解決する第１の手段に係る空気調和機は、本体ケーシングと本体ケーシングの前面を覆うように設置される前面パネルとを備えている。本体ケーシングは、横長に形成されるとともに、内部を横方向に複数区域に区画されている。前面パネルは、本体ケーシングにおける各区域の横方向の中央部に対応する位置に室内吸込口を有し、さらに、各区域の横方向両端部に対応する位置に室内吹出口を有している。また、本体ケーシングの各区域の横方向中央部には、羽根車の回転軸を前後方向とするとともに吸入口を前面パネル側とし、さらに、羽根車の半径方向、かつ羽根車の左右方向に吐出口が形成されるように遠心ファンが配置されている。また、この空気調和機は、遠心ファンの吐出口から室内吹出口に連通する通風路と、各通風路に配置された室内側熱交換器とを備えている。第１の解決手段に係る空気調和機は、以上の構成を基本構成とするものであって、さらに、各遠心ファンが個別に発停操作及び風量可変に操作し得るように構成されている。
【０００６】
上述の如く構成された第１の手段に係る空気調和機によれば、本体ケーシングの各区域において、遠心ファン及び室内側熱交換器が横方向に並べられる構成となっているので、遠心ファンの軸方向の寸法及び室内側熱交換器の前後方向の寸法により空気調和機の奥行寸法を定めることができる。したがって、遠心ファンの軸方向の所要寸法及び室内側熱交換器の前後方向の所要寸法を抑えることにより空気調和機を薄型化することができる。また、各区域に設置される遠心ファンが個別に発停及び風量可変に操作し得るように構成されているとともに、室内吹出口が本体ケーシングの各区域の横方向両端部に対応する位置に分散配置されているので、区域毎に運転を発停可能とすることができるとともに、室内吹出口からの風速を変更することができる。したがって、各区域の運転の発停及び室内吹出口からの風速を使用者の好みに応じ個別に調整することにより、使用者が複数の場合に起こりうるドラフト感の個人差による不快感を緩和することができる。また、このように、横方向に配置された区域毎に運転の発停操作を可能とするとともに吹出空気の風速を変更することができるので、複数台の室内ユニットを設置しているのと同様の使い分けをすることができる。
【０００７】
また、上記課題を解決する第２の手段に係る空気調和機は、前述の第１の解決手段と同様の基本構成を備えるとともに、各室内吹出口には、個別に風向を変更操作し得る電動式の風向羽根が設けられている。
【０００８】
このように構成された第２の手段に係る空気調和機によれば、前述の第１の手段の場合と同様の基本構成を有しているので、前述の第１の手段の場合と同様に空気調和機を薄型化することができる、また、横方向に分散配置される各室内吹出口には、個別に風向を変更操作し得る電動式の風向羽根が設けられているので、室内吹出口毎に風向を変更することができる。したがって、各室内吹出口の風向を使用者の好みに応じ個別に調整することにより、使用者が複数の場合に起こりうるドラフト感の個人差による不快感を緩和することができる。また、このように、横方向に分散された室内吹出口毎に吹出空気の風向を変更することができるので、複数台の室内ユニットを設置しているのと同様の使い分けをすることができる。
【０００９】
また、上記課題を解決する第３の手段に係る空気調和機は、前述の第１及び第２の手段の場合と同様の基本構成を有するとともに、各室内側熱交換器には、個別に開閉及び設定開度を変更操作し得る冷媒制御用の電動膨張弁が設けられている。
【００１０】
このように構成された第３の手段に係る空気調和機によれば、前述の第１及び第２の解決手段の場合と同様に薄型化することができる。また、各室内側熱交換器には、個別に開閉及び設定開度を変更操作し得る冷媒制御用の電動膨張弁が設けられているので、この電動膨張弁の開度を個別に調整することにより、各室内側熱交換器の能力を調整することができ、これにより、各室内吹出口から吹き出される吹出空気の温度を調整することができる。したがって、各室内吹出口からの吹出空気温度を使用者の好みに応じ個別に調整することにより、使用者が複数の場合に起こりうるドラフト感の個人差による不快感を緩和することができる。また、このように、横方向に分散された室内吹出口毎に吹出空気の温度を変更することができるので、複数台の室内ユニットを設置しているのと同様の使い分けをすることができる。
【００１１】
また、上記各手段を、二つ又は三つ組み合わせて適用することもできる、また、上記二つ又は三つの手段を組み合わせることにより、各区域の運転を発停操作するとともに各吹出口から吹き出される吹出空気の風速、風向あるいは温度を組み合わせて制御することができるようになるので、使用者の好みに応じドラフト感をよりきめ細かく調整することができる。これにより、複数の使用者のドラフト感の個人差による不快感を、より一層緩和することができる。
【発明の効果】
【００１２】
本発明に係る空気調和機によれば、遠心ファンの軸方向の所要寸法及び室内側熱交換器の前後方向の所要寸法を抑えることにより、空気調和機を薄型化することができる。また、室内吹出口が前面パネルの左右に分散配置されるとともに、使用者の好みに応じ各区域の運転を発停したり、各室内吹出口から吹き出される吹出空気の風量、風向、あるいは温度を調整したりすることができるので、使用者が複数の場合に起こりうるドラフト感の個人差による不快感を緩和することができる。
【発明を実施するための最良の形態】
【００１３】
以下、この発明の実施の形態に係る空気調和機について、図１及び図２に基づき説明する。なお、図１は本実施の形態に係る空気調和機の全体構成図である。図２は同空気調和機の外観斜視図である。
【００１４】
本実施の形態に係る空気調和機は、ヒートポンプ式セパレート型空気調和機であって、図１に示すように、室外ユニット１に対し壁掛け型の室内ユニット２が接続されたものである。
【００１５】
室外ユニット１は、図１に示すように、圧縮機１１、四路切換弁１２、室外側熱交換器１３、室外ファン１４、室外ファンモータ１５、制御部１６の一部分、ガス管継手１７、液管継手１８など備えている。これら機器は、四路切換弁１２の切り換えにより、冷房運転時には、ガス管継手１７、四路切換弁１２、圧縮機１１、四路切換弁１２、室外側熱交換器１３、液管継手１８の順に冷媒が流通するように接続される。また、暖房運転時には、液管継手１８、室外側熱交換器１３、四路切換弁１２、圧縮機１１、四路切換弁１２、ガス管継手１７の順に冷媒が流通するように接続される冷媒回路を構成している。
【００１６】
室内ユニット２は、横長箱型状の本体ケーシング２０と、その前面に取り付けられる前面パネル３０とから外装ケーシングが構成されている。本体ケーシング２０には、前述の制御部１６の他部分が搭載されるとともに、リモコン４０が付属品として準備されている。また、この本体ケーシング２０に搭載される制御部１６の一部分には、リモコン４０及び室外ユニット１に搭載されている制御部１６との通信部分が含まれている。
【００１７】
本体ケーシング２０は、平断面で見て内壁に断熱材が貼り付けられた断熱材壁２１が形成されている。この断熱材壁２１の左右方向の中央部には、本体ケーシング２０内を左右の２区域に区画する仕切壁２１ａが形成されている。断熱材壁２１は、左右の各側面から背面にかけてのコーナ部２１ｂ及び仕切壁２１ａから背面にかけてのコーナ部２１ｃにおいて、それぞれ円弧状の内面に形成されている。以上のように左右２区域に区画された本体ケーシング２０の各区域の中央部には、遠心ファン２２が羽根車２３の回転軸２３ａを前後方向とするとともに、吸入口２２ａが前面側となるように配置されている。このため、遠心ファン２２のハブ２３ｂが本体ケーシング２０の背面に沿う形態になり、このハブ２３ｂの背面側に薄型の室内ファンモータ２４が配置されている。また、吸入口２２ａの前面にはベルマウス２５が取り付けられ、その前面の前面パネル３０には室内吸込口３１が設けられている。
【００１８】
また、この実施の形態においては、遠心ファン２２としてターボファンが用いられている。遠心ファン２２は、図示していないが、本体ケーシング２０の天面及び底面との間隔を小さく形成することにより、羽根車２３の半径方向であって、正面から見て羽根車２３の左右の位置が吐出口２２ｂとなるように構成されている。また、前面パネル３０における各区域の両端に対応する位置には室内吹出口３２が形成され、本体ケーシング２０の各区域内には、吐出口２２ｂから室内吹出口３２に至る通風路２６が形成されている。したがって、各遠心ファン２２の吐出口２２ｂから吐出された吐出空気は本体ケーシング２０内の左右の通風路２６内を流れて、室内吹出口３２から空調室内に吹き出されるように構成されている。なお、前述のように各コーナ部２１ｂ、２１ｃを円弧状に形成したのは、通風路２６における通風抵抗を減少させるためである。
【００１９】
また、左右の通風路２６には、室内側熱交換器２７がそれぞれ配置されている。室内側熱交換器２７としては、扁平チューブ間にコルゲートフィンを介在させたコルゲートフィン式熱交換器や、平板状フィンを用いたクロスフィンコイル式熱交換器などを用いることができる。また、各室内側熱交換器２７は電動膨張弁２８を備えている。また、室内側熱交換器２７は、冷房運転時出口側となり暖房運転時入口側となるガス管側が室外ユニット１のガス管継手１７に接続され、冷房運転時入口側となり暖房運転時出口側となる液管側が室外ユニット１の液管継手１８に接続されている。前記電動膨張弁２８はこの液管側に接続されている。
【００２０】
前面パネル３０は、前述のように、遠心ファン２２の吸入口２２ａに対応する位置、すなわち本体ケーシング２０の各区域の中央部に室内吸込口３１が設けられ、その両側、すなわち、本体ケーシング２０の各区域の両端部に縦長の室内吹出口３２が設けられている。そして、室内吸込口３１には横桟３３が設けられ、室内吹出口３２には左右に風向を調節する縦長の風向羽根３４が形成されている。風向羽根３４は、室内吹出口３２毎に設けられた羽根用モータ３５により、室内吹出口３２毎に電動式に風向を調節し得るように構成されている。
【００２１】
また、この空気調和機においては、室外ユニットの圧縮機１１、四路切換弁１２及び室外ファンモータ１５、さらに、室内ユニット２の室内ファンモータ２４、電動膨張弁２８、羽根用モータ３５は、制御部１６により制御されるように構成されている。また、上記空気調和機には、運転操作するためのリモコン４０が付属されている。そして、このリモコン４０により、圧縮機１１及び室外ファン１４を発停して空気調和機を発停操作することができる。また、リモコン４０の操作により、これ以外の操作も行うことができるように構成されている。すなわち、リモコン４０により、室内ファンモータ２４を発停操作すること、室内ファンモータ２４の設定回転数を変更することにより遠心ファン２２の風量を変更操作すること、羽根用モータ３５の回転角度を変更することにより室内吹出口から吹き出される風向を変更操作すること、電動膨張弁２８設定開度を変更することにより室内側熱交換器の能力を変更操作すること、四路切換弁１２の切換により冷房運転か暖房運転かを選択操作することなどを行うことができる。この場合において、室内ファンモータ２４は、リモコン４０により室内ファンモータ２４毎に個別に操作可能とされている。また、室内側熱交換器２７の電動膨張弁２８及び室内吹出口３２の風向羽根３４は、それぞれ電動膨張弁２８毎に、及び室内吹出口３２毎に個別に操作可能とされている。
【００２２】
次に、本実施の形態に係る空気調和機の動作について説明する。まず、送風運転を行うときは、リモコン４０の操作により、区域毎に、換言すると遠心ファン毎に室内ファンモータを運転させたり、室内ファンモータ２４の回転数を変更したりして、区域毎に運転を行うことができる。送風運転において、室内空気は、室内吸込口３１から吸い込まれ、通風路２６を通過して室内側熱交換器２７を通過した後、室内吹出口３２から吹き出される。このとき、通風路２６におけるコーナ部２１ｂ、２１ｃが円弧状の曲面に形成されているので、通風路２６の通風抵抗は軽減されている。なお、この運転においては、室外ユニット１が運転されていないので室内側熱交換器２７を通過する室内空気は、冷却も加熱もされない。
【００２３】
次に、冷房又は暖房運転を行うときは、リモコン４０の操作により、圧縮機１１及び室外ファン１４を運転するとともに四路切換弁１２を冷房位置又は暖房位置に選択する。また、室内ユニット２では、本体ケーシング２０内の区域毎に電動膨張弁２８を開放するとともに、遠心ファン２２を運転することにより、区域毎に冷房又は暖房運転を行うことができる。なお、両区域において、一方で暖房運転し他方で冷房運転することは上記回路では行うことができないが、両区域の電動膨張弁２８を開放するとともに遠心ファン２２を運転することにより、両区域を同時に冷房又は暖房運転することはできる。冷房又は暖房運転においては、室内空気は、室内吸込口３１から吸い込まれ、通風路２６を通過して室内側熱交換器２７で冷却又は加熱された後、室内吹出口３２から冷風又は温風となって吹き出される。なお、この通風経路において、コーナ部２１ｂ、２１ｃが円弧状の曲面に形成されているので、通風路２６の通風抵抗は軽減される。
【００２４】
冷房運転が選択されたときは、室内空気を冷却するために、四路切換弁１２が冷房運転位置に設定される。そして、圧縮機１１、四路切換弁１２、室外側熱交換器１３、液管継手１８、電動膨張弁２８、室内側熱交換器２７、ガス管継手１７、四路切換弁１２、圧縮機１１と冷媒を循環させる冷媒回路が形成される。この場合において電動膨張弁２８、室内側熱交換器２７の回路部分は、室内側熱交換器２７毎に並列接続される冷媒回路となる。このように冷媒回路が形成されることにより、室内側熱交換器２７が蒸発器として作用するので、室内吸込口３１から吸い込んだ室内空気は、室内側熱交換器２７で冷却され、室内吹出口３２から冷風が吹き出される。また、前述のリモコン４０の操作により暖房運転が選択されたときは、室内空気を加熱するために、四路切換弁１２が暖房位置に設定される。そして、圧縮機１１、四路切換弁１２、ガス管継手１７、室内側熱交換器２７、電動膨張弁２８、液管継手１８、室外側熱交換器１３、四路切換弁１２、圧縮機１１と冷媒を循環させる冷媒回路が形成される。この場合においても、室内側熱交換器２７毎に室内側熱交換器２７、電動膨張弁２８の回路部分が並列接続される冷媒回路となる。このように冷媒回路が形成されることにより、室内側熱交換器２７が凝縮器として作用するので、室内吸込口３１から吸い込んだ室内空気は、室内側熱交換器２７で加熱され、室内吹出口３２から温風となって吹き出される。なお、一方の区域の冷房又は暖房運転をしない場合は、リモコン４０の操作により、一方の区域に搭載されている遠心ファン２２を停止するとともに、当該区域の２個の電動膨張弁２８を閉鎖すればよい。また、一方の区域を送風運転とするときは、当該区域に搭載されている遠心ファン２２を運転するとともに、当該区域の２個の電動膨張弁２８を閉鎖すればよい。
【００２５】
上記送風運転、冷房運転又は暖房運転において、各区域の室内吹出口３２における吹出空気の風速を変更したいときは、リモコン４０を操作して各遠心ファン２２の回転数を個別に変更することにより、遠心ファン２２の風量を個別に変更すればよい。このように遠心ファン２２の風量を変更することにより、室内吹出口３２からに吹出風速を区域毎に変更することができる。また、上記送風運転、冷房運転又は暖房運転において、各区域の室内吹出口３２における吹出空気の風向を変更したいときは、リモコン４０を操作して、風向を変更したい室内吹出口３２の羽根用モータ３５を駆動させて、風向羽根３４の風向を希望の風向に変更すればよい。また、上記冷房運転又は暖房運転において、各室内吹出口３２における吹出空気の温度を変更したいときは、リモコン４０を操作して各室内側熱交換器２７の電動膨張弁２８の開度の設定を個別に変更することにより、各室内側熱交換器２７の能力を個別に変更すればよい。このように室内側熱交換器２７の能力個別に変更することにより、各室内吹出口３２からの吹出空気の温度を個別に変更することができる。
【００２６】
本実施の形態に係る空気調和機は、以上のように構成され、次のような作用効果を奏することができる。
（１）本体ケーシング２０の各区域において遠心ファン２２及び室内側熱交換器２７が横方向に並べられる構成となっているので、遠心ファン２２における羽根車２３の軸方向の寸法及び室内側熱交換器２７の前後方向の寸法により空気調和機の奥行寸法を定めることができる。したがって、遠心ファン２２の軸方向の所要寸法及び室内側熱交換器２７の前後方向の所要寸法を抑えることにより空気調和機を薄型化することができる。
【００２７】
（２）室内吹出口３２が本体ケーシング２０の各区域の横方向の両端部に対応する位置に分散配置されるとともに、各遠心ファン２２が個別に発停操作及び風量可変に操作し得るように構成されているので、横方向に分散配置されている室内吹出口３２からの風速を区域毎に変更することができる。したがって、各区域の室内吹出口３２からの風速を使用者の好みに応じ個別に調整することにより、使用者が複数の場合に起こりうるドラフト感の個人差による不快感を緩和することができる。
【００２８】
（３）また、横方向に分散配置される各室内吹出口３２には、個別に設定風向を変更操作し得る電動式の風向羽根３４が設けられているので、室内吹出口３２毎に風向を変更することができる。したがって、各室内吹出口３２の風向を使用者の好みに応じ個別に調整することにより、複数の使用者のドラフト感の個人差による不快感をこの点からも緩和することができる。
【００２９】
（４）また、遠心ファンの左右に形成される通風路２６内にそれぞれに室内側熱交換器２７が配置されるとともに、各室内側熱交換器２７には、個別に開閉操作及び設定開度を変更操作し得る冷媒制御用の電動膨張弁２８が設けられている。このため、この電動膨張弁２８の開度を個別に調整することにより、各室内側熱交換器２７の能力を調整することができ、これにより、各室内吹出口３２から吹き出される吹出空気の温度を調整することができる。したがって、各室内吹出口３２からの吹出空気温度を使用者の好みに応じ個別に調整することにより、複数の使用者のドラフト感の個人差による不快感をこの点からも緩和することもできる。
【００３０】
（５）本実施の形態においては、上述のように、区域毎に室内吹出口３２からの吹出風速を変更操作することができるとともに、室内吹出口３２毎に風向を変更操作することができ、さらに、室内吹出口３２毎に吹出空気の温度調節ができる。したがって、これら操作を単独で可能とした場合に比し、きめ細かく使用者の好みにマッチさせることができ、複数の使用者のドラフト感の個人差による不快感をより一層緩和することができる。
【００３１】
（６）上記実施の形態によれば、室内ユニットは１台であるが、区域毎に吹出空気の風速を選択したり、あるいは室内吹出口３２毎に吹出空気の風向を変更したり、吹出空気の温度を変更したりすることができるので、複数台の室内ユニット２を設置しているのと同様の使い分けをすることができる。
【００３２】
（変形例）
（１）上記実施の形態に係る空気調和機は、各遠心ファンを個別に発停操作及び風量可変に操作し得る構成、各室内吹出口に、個別に風向を変更操作し得る電動式の風向羽根を備える構成、並びに、各室内側熱交換器２７に、個別に開閉操作及び設定開度を変更操作し得る冷媒制御用の電動膨張弁２８を有する構成を、全て備えているが、このうちの一つあるいは二つの構成を採用したものとすることもできる。ただし、省略した構成による作用効果を期待できなくなる分、この実施の形態に係る空気調和機に比し吹出空気をきめの細かく調整することができなくなる。
【００３３】
（２）上記実施の形態においては、本体ケーシング２０内を二つの区域に区分していたが、これを横方向の三つ以上の区域に区分し、各区域の構成を上記と同様にすることにより、吹出空気流をさらにきめ細かくかつ幅広く調整可能とすることも可能である。
【００３４】
（３）上記実施の形態においては、遠心ファン２２としてターボファンを用いていたが、これに代えシロッコファン、ラジアルファンなどの他のものを用いてもよい。
（４）上記実施の形態では、リモコンは１個であったが、各室内吹出口３２用のリモコンを付属させるようにすることもできる。
【００３５】
（５）上記実施の形態においては、室外ユニットは１台であったが、各区域に配置される冷媒回路用機器をそれぞれ個別の室外ユニットに接続するように構成してもよい。
（６）各室内吹出口に、風向を垂直方向に可変とするための水平羽根を付加し、吹出空気を水平方向及び垂直方向それぞれに調整可能としてもよい。なお、この水平羽根もモータ駆動とし、リモコンにより操作しうるようにすることは好ましいことである。
【００３６】
（７）上記実施の形態においては、電動膨張弁２８を各室内側熱交換器２７に接続していたが、区域毎に１個、つまり区域内の２個の室内側熱交換器２７に対し１個の電動膨張弁２８を共用させるようにしてもよい。
【００３７】
（８）上記実施の形態においては、室内吸込口３１として水平方向の固定羽根を取り付けたものを例示したが、これは単なる一例であって、室内吸込口３１としては、目立たないように開口された構造のものや、適宜の方法で開閉するように構成されているものや、他形状のグリル構造のものなど適宜のものを用いることができる。
【００３８】
（９）上記実施の形態においては、仕切壁２１ａが断熱材で形成されていたが、断熱材を使わず本体ケーシング２０の構成部材のみで形成してもよい。この場合は、一方の区域のみが運転される場合において両区域間の断熱性が低下するが、使用上殆ど影響がなく、前述の効果と同様の効果を奏することができる。
【００３９】
（１０）また、上記実施の形態において、区域間の仕切壁２１ａを廃止してもよい。この場合、一方の区域の運転をしない場合に室内吹出口３２の風向羽根３４により室内吹出口３２を閉じることにより、一方のみの単独運転も可能となる。また、両区域を運転する場合は、両区域の境界部で遠心ファン２２の吹出気流が衝突するが、それぞれの室内吹出口３２が近くにあるため大きな影響を受けることなく、前述と同様の効果を奏することができる。
【産業上の利用可能性】
【００４０】
本発明は、家庭用エアコン、オフィスビル、ホテル、飲食店などの業務用エアコンなどに適用することができる。
【図面の簡単な説明】
【００４１】
【図１】本発明の実施の形態に係る空気調和機全体の構成説明図である。
【図２】同空気調和機用の外観斜視図である
【符号の説明】
【００４２】
２０…本体ケーシング、２２…遠心ファン、２２ａ…吸入口、２２ｂ…吐出口、２３…羽根車、２３ａ…回転軸、２６…通風路、２７…室内側熱交換器、２８…電動膨張弁、３０…前面パネル、３１…室内吸込口、３２…室内吹出口、３４…風向羽根。
【図１】
2007263429.tif 000003
【図２】
2007263429.tif 000004